(57)【要約】【課題】定期的なメンテナンスである水洗浄後に、放電極同士を連結する導電体を覆う絶縁性カバーに水分が侵入しても、水分が容易に排出され、乾燥が容易になり、運転の再開時間を短縮することが出来る静電式空気清浄機を提供すること。【解決手段】複数の針電極１を連結する導電体４と、複数の対向電極２を連結する導電体５とを覆う、絶縁性カバー６，７にそれぞれ対向する導電体がある方向とは反対側に切り欠き８，９を設ける。【選択図】図１
2006055687.tif 000002
【特許請求の範囲】
【請求項１】
針状の放電極と対向放電極とを設け、これらの放電極間に高電圧を印加し、前記放電極間を通過する空気中に含んだホコリに帯電させる構成を複数個持つ静電式空気清浄機において、複数個存在する前記針状放電極同士を連結する導電体と、複数個存在する前記対向放電極同士を連結する導電体とを覆いこむ絶縁性のカバーを備え、それぞれ対向する前記導電体の反対側に前記絶縁性カバーに切欠きを設けることを特徴とする静電式空気清浄機。
【発明の詳細な説明】
【技術分野】
【０００１】
本発明は、針状の電極を有し静電式の集塵を行う静電式空気清浄機に関するものである。
【背景技術】
【０００２】
従来、この種の静電式空気清浄機においては、針状の放電極と対向放電極とを設け、これらの放電極間に高電圧を印加して、コロナ放電を放出することにより、空気中の粉塵に帯電させ、集塵することで、室内の空気を浄化するものであった（例えば、特許文献１参照）。
【特許文献１】実公平４−４０７４５号公報
【発明の開示】
【発明が解決しようとする課題】
【０００３】
しかしながら、この種の静電式空気清浄機を長期間使用していると、針状電極及び、放電対極にほこりが堆積するため、定期的なメンテナンスが必要とされる。具体的には、洗剤を溶かした水に漬け置きし、流水で洗い流すことで、堆積したホコリを除去することになる。一方で、運転を再開するためには、放電極に高電圧を印加することもあり、外殻のみならず、充電部や、充電部を覆う絶縁部に水分が残留していてはならないが、特に充電部を覆う絶縁部の内部に水が侵入し、なかなか放出されにくいことから、乾燥に時間が掛かるという課題を有していた。
【０００４】
本発明はこのような従来の課題を解決するものであり、充電部を覆う絶縁部の水の放出を容易にし、運転の再開時間を短縮することが可能な静電式空気清浄機を提供することを目的とする。
【課題を解決するための手段】
【０００５】
前記従来の課題を解決するために、本発明の静電式空気清浄機は、針状の放電極と対向放電極とを設け、これらの放電極間に高電圧を印加し、前記放電極間を通過する空気中に含んだホコリに帯電させるユニットを複数個具備した構成を持ち、複数個存在する前記針状放電極同士を連結する導電体と、複数個存在する前記対向放電極同士を連結する導電体とを覆いこむ絶縁性のカバーを備え、それぞれ対向する前記導電体の反対側に前記絶縁性カバーに切欠きを設けたものである。
【０００６】
これによって、水洗浄の際に絶縁性カバーの隙間に入り込んだ水は、切欠き部分から容易に排出されることとなる。
【発明の効果】
【０００７】
本発明の静電式空気清浄機は、定期的なメンテナンスである水洗浄後に、電気集塵機の内部に侵入した水の乾燥が容易になり、運転の再開時間を短縮することが出来る。
【発明を実施するための最良の形態】
【０００８】
第一の発明は、針状の放電極と対向放電極とを設け、これらの放電極間に高電圧を印加し、前記放電極間を通過する空気中に含んだホコリに帯電させる構成を複数個持つ静電式空気清浄機において、複数個存在する前記針状放電極同士を連結する導電体と、複数個存在する前記対向放電極同士を連結する導電体とを覆いこむ絶縁性のカバーを備え、それぞれ対向する前記導電体の反対側に前記絶縁性カバーに切欠きを設けることにより、水洗浄の際に絶縁性カバーの隙間に入り込んだ水は、切欠き部分から容易に排出されることとなり、定期的なメンテナンスである水洗浄後に、電気集塵機の内部に侵入した水の乾燥が容易になり、運転の再開時間を短縮することが出来る。
【０００９】
以下本発明の実施の形態について、図面を参照しながら説明する。なお、この実施の形態によって本発明が限定されるものではない。
【００１０】
（実施の形態１）
図１は、本発明の実施の形態１にかかる静電式空気清浄機の一部を示す模式図である。
【００１１】
図１において、針状放電極１と対向放電極２とに、高電圧電源３を接続し、それぞれの電極間に高電圧を印加する。針状放電極１と対向電極２との間を、矢印Ａの方向にホコリを含んだ空気が流れ、空気中のホコリが帯電する。この構成を複数個配置することにより、集塵能力を高めることを図っている。
【００１２】
図１からわかる様に、複数個配置されたそれぞれの針状放電極１同士は、導電体４で連結されている。また、複数個配置されたそれぞれの対向放電極２同士は、導電体５で連結されている。このとき、導電体４と導電体５の間で、放電が発生しない様に、それぞれを絶縁性のカバー６及び７で覆っている。
【００１３】
図２は、本発明の実施の形態１にかかる静電式空気清浄機の断面を示す断面図で、絶縁性のカバー６が導電体４を覆っている様子が、また、絶縁性のカバー７が導電体５を覆っている様子が良く解る。この図からわかる様に、絶縁性カバー６、７の隙間に、電気空清を水洗浄したときに水が侵入してしまうが、導電体４を覆う絶縁性カバー６には、対向する導電体５が存在する方向とは反対側に切欠き８を、また、導電体５を覆う絶縁性カバー７には、対向する導電体４が存在する方向とは反対側に切欠き９を設けた構成としている。
【００１４】
以上の様に構成された静電式空気清浄機について、以下その動作、作用を説明する。
【００１５】
静電式空気清浄機を長期間使用することによる針状電極及び、放電対極に堆積したホコリを、洗剤を溶かした水に漬け置きし、流水で洗い流すことで、堆積したホコリを除去する際、水洗浄の際に絶縁性カバーの隙間に入り込んだ水は、切欠き８，９部分から容易に排出されることとなり、定期的なメンテナンスである水洗浄後に、静電式空気清浄機の内部に侵入した水の乾燥が容易になり、運転の再開時間を短縮することが出来る。
【００１６】
図３は、本発明の実施の形態１にかかる静電式空気清浄機の搭載位置を示す断面図である。
【００１７】
この図では、熱交換器１１に室内空気を呼び込むための送風ファン１２と送風ファン１２によって発生した空気流れの上流に静電式空気清浄機本体１０が配置されていることを示した例である。
【産業上の利用可能性】
【００１８】
以上のように、本発明にかかる静電式空気清浄機は、定期的なメンテナンスである水洗浄後に、電気集塵機の内部に侵入した水の乾燥が容易になり、運転の再開時間を短縮することが出来るので、各種の静電式空気清浄機の用途にも適用できる。
【図面の簡単な説明】
【００１９】
【図１】本発明の実施の形態１にかかる静電式空気清浄機の一部を示す模式図
【図２】本発明の実施の形態１にかかる静電式空気清浄機の断面を示す断面図
【図３】本発明の実施の形態１にかかる静電式空気清浄機の搭載位置を示す断面図
【符号の説明】
【００２０】
１  針状放電電極
２  対向放電極
３  高電圧電源
４  導電体
５  導電体
６  絶縁性カバー
７  絶縁性カバー
８  切欠き
９  切欠き
１０  静電式空気清浄機本体
１１  熱交換器
１２  送風ファン
【図１】
2006055687.tif 000003
【図２】
2006055687.tif 000004
【図３】
2006055687.tif 000005